(57)【要約】【課題】１，４−ジオキサン分解菌による環状エーテルの分解活性を向上する方法を提供する。【解決手段】環状エーテルを含む汚染水を、Ｍｎ２＋濃度が０．０００１ｍｇ／Ｌ（０．０００１ｐｐｍ）以上１００ｍｇ／Ｌ（１００ｐｐｍ）以下の条件下において、１，４−ジオキサン分解菌で生分解処理する環状エーテルの生分解処理方法。【選択図】図５
2018094455.tif 000002
【特許請求の範囲】
【請求項１】
環状エーテルを含む汚染水を、Ｍｎ２＋濃度が０．０００１ｍｇ／Ｌ（０．０００１ｐｐｍ）以上１００ｍｇ／Ｌ（１００ｐｐｍ）以下の条件下において、１，４−ジオキサン分解菌で生分解処理することを特徴とする環状エーテルの生分解処理方法。
【請求項２】
前記１，４−ジオキサン分解菌が、シュードノカルディア属（Pseudonocardia sp.）であることを特徴とする請求項１に記載の生分解処理方法。
【請求項３】
前記１，４−ジオキサン分解菌が、Ｎ２３株（受託番号：ＮＩＴＥ  ＢＰ−０２０３２）、シュードノカルディア属（Pseudonocardia sp.）Ｄ１７株（受託番号：ＮＩＴＥ  ＢＰ−０１９２７）のいずれかであることを特徴とする請求項１または２に記載の生分解処理方法。
【請求項４】
前記環状エーテルが、１，４−ジオキサン、１，３−ジオキソラン、２−メチル−１，３−ジオキソラン、テトラヒドロフランのいずれか１種以上を含むことを特徴とする請求項１〜３のいずれかに記載の生分解処理方法。
【発明の詳細な説明】
【技術分野】
【０００１】
本発明は、１，４−ジオキサン分解菌による効率的な環状エーテルの生分解処理方法に関する。
【背景技術】
【０００２】
１，４−ジオキサンは、下記式（１）で表される環状エーテルである。１，４−ジオキサンは、水や有機溶媒との相溶性に優れており、主に有機合成の反応溶剤として使用されている。
【０００３】
【化１】
2018094455.tif 000003
【０００４】
２０１０年度の日本国における１，４−ジオキサンの製造・輸入量は、約４５００ｔ／年であり、約３００ｔ／年が環境中へ放出されたと推測される。１，４−ジオキサンは、水溶性であるため、水環境中へ放出されると広域に拡散してしまう。また、揮発性、固体への吸着性、光分解性、加水分解性、生分解性がいずれも低いため、水中からの除去が困難である。１，４−ジオキサンは急性毒性及び慢性毒性を有する上、発がん性も指摘されていることから、１，４−ジオキサンによる水環境の汚染は、人や動植物に悪影響を及ぼすことが懸念されている。そのため、日本国では、水道水質基準（０．０５ｍｇ／Ｌ以下）、環境基準（０．０５ｍｇ／Ｌ以下）及び排水基準（０．５ｍｇ／Ｌ以下）により、１，４−ジオキサンの規制がなされている。
【０００５】
また、非特許文献１には、１，４−ジオキサンを含む産業廃水には、１，４−ジオキサンの他に１，３−ジオキソラン及び２−メチル−１，３−ジオキソランといった環状エーテルが含まれていることが報告されている。特に１，３−ジオキソランは、急性毒性等の毒性が確認されており、１，３−ジオキソランを含む汚染水等は適切に処理しなければならない。
【０００６】
従来の活性汚泥法や活性炭吸着法等の処理方法では、水中から１，４−ジオキサン等の環状エーテルを十分に除去することができない。例えば、１，４−ジオキサンは、過酸化水素を添加してのオゾン処理（Ｏ３／Ｈ２Ｏ２）、紫外線照射下でのオゾン処理（Ｏ３／ＵＶ）、放射線や超音波照射下でのオゾン処理等、複数の物理化学的な酸化方法を併用する促進酸化法においてのみ、処理の有効性が確認されている。しかし、促進酸化法はイニシャルコスト及びランニングコストが高いことから普及に至っていない。また、非特許文献２には、１，４−ジオキサン以外の有機物が存在すると、促進酸化法による１，４−ジオキサンの処理効率が低下することが報告されている。
【０００７】
低コストかつ安定的に１，４−ジオキサン等の環状エーテルを含む水を処理する方法が求められており、特許文献１、非特許文献３では、１，４−ジオキサン分解菌による１，４−ジオキサン処理が提案されている。１，４−ジオキサン分解菌には、１，４−ジオキサンを単一炭素源として分解する菌（資化菌）と、テトラヒドロフラン等の特定の基質の存在下にて１，４−ジオキサンを分解できる菌（共代謝菌）の２種類に大別される。そのため、地下水や廃水等に含まれる１，４−ジオキサンを１，４−ジオキサン分解菌で処理する場合、特定の基質を添加する必要がない資化菌を活用する方が効率的である。
【０００８】
資化菌は、さらに１，４−ジオキサン分解酵素の誘導の有無によって、誘導型と構成型に分けられる。非特許文献４に記載されているように、誘導型１，４−ジオキサン分解菌は、１，４−ジオキサンなどの誘導物質が存在することで分解酵素の生産・分泌がされるため、１，４−ジオキサン処理に用いる前に予め馴養する必要がある。一方、構成型１，４−ジオキサン分解菌は、常時、分解酵素を生産しているため、馴養することなく、直ちに１，４−ジオキサン処理に用いることができる。
【０００９】
本発明者らは、特許文献２において、構成型１，４−ジオキサン分解菌であるＮ２３株を報告している。Ｎ２３株は、これまでに報告されている構成型１，４−ジオキサン分解菌の中で、最も高い１，４−ジオキサン最大比分解速度を示し、１，４−ジオキサンを始めとする環状エーテルの生分解に非常に有望である。
【００１０】
非特許文献５、６では、これらの１，４−ジオキサン分解菌が有するＴＨＦモノオキシゲナーゼが１，４−ジオキサンの分解に関与していることが報告されている。ＴＨＦモノオキシゲナーゼは、多様な炭化水素類の初発酸化を担っている可溶性鉄（II）モノオキシゲナーゼ（ＳＤＩＭＯ）の一種に分類されており、ＳＤＩＭＯには他にメタン／プロパンモノオキシゲナーゼ等が含まれている（非特許文献７）。また、非特許文献６では、ＴＨＦモノオキシゲナーゼ以外のＳＤＩＭＯを有する菌も１，４−ジオキサンを分解する可能性のあることが報告されている。
しかし、１，４−ジオキサン分解菌における環状エーテル分解酵素は、未だ決定されていない。
【００１１】
ここで、１，４−ジオキサン分解菌は増殖が極めて遅く、他の微生物が混入していると他の微生物が優先的に増殖してしまう。そのため、１，４−ジオキサン分解菌を培養するには、他の雑菌が混入しないように、事前に培養装置や培地を十分に滅菌する必要がある。滅菌処理には、オートクレーブを用いる蒸気滅菌、オーブン等で加熱する乾熱滅菌、ガンマ線を用いる放射線滅菌、エチレンオキサイドガスを用いる化学滅菌等の方法がある。しかし、滅菌のための設備が大規模になりすぎる、エネルギーコストがかかりすぎる、使用する薬品量が膨大となりコスト・安全性の点で問題がある等、いずれの滅菌方法も、大規模スケールで行うことは困難である。
【００１２】
本発明者らは、特許文献３において、ジエチレングリコールを含む培地を用いて１，４−ジオキサン分解菌を増やす１，４−ジオキサン分解菌の培養方法を提案した。１，４−ジオキサン分解菌は、他の微生物と比較してジエチレングリコールを炭素源として利用する能力に優れているため、ジエチレングリコールを含有する培地を用いることにより、滅菌処理を行うことなく、他の微生物が生息している条件下でも優先的に増殖することができる。
【先行技術文献】
【特許文献】
【００１３】
【特許文献１】特開２００８−３０６９３９号公報
【特許文献２】国際公開第２０１６／１８１８０２号
【特許文献３】特許第５８７７９１８号公報
【００１４】
【非特許文献１】CD. Adams, PA. Scanlan and ND. Secrist: Oxidation and biodegradability enhancement of 1,4-dioxane using hydrogen peroxide and ozone, Environ. Sci. Technol., 28(11), pp.1812-1818, 1994.
【非特許文献２】K. KOSAKA, H. YAMADA, S. MATSUI, and K. SHISHIDA: The effects of the co-existing compounds on the decomposition of micropollutants using the ozone/hydrogen peroxide process. Water Sci. Technol., 42, pp.353-361, 2000.
【非特許文献３】清和成、池道彦：１，４−ジオキサン分解菌を用いた汚染地下水の生物処理・浄化技術の可能性，用水と廃水，Vol.53, No.7, pp.555-560, 2011.
【非特許文献４】K. Sei, K. Miyagaki, T. Kakinoki, K. Fukugasako, D. Inoue and M. Ike: Isolation and characterization of bacterial strains that have high ability to degrade 1,4-dioxane as a sole carbon and energy source, Biodegradation, 24, 5, pp.665-674, 2012.
【非特許文献５】H. MASUDA, K. McCLAY, R. J. STEFFAN, and G. J. ZYLSTRA: Biodegradation of tetrahydrofuran and 1,4-dioxane by soluble diiron monooxygenase in Pseudonocardia sp. strain ENV478. J. Mol. Microbiol. Biotechnol. 22(5), pp.312-316, 2012.
【非特許文献６】A. GROSTERN, C. M. SALES, W.-Q. ZHUANG, O. ERBILGIN, and L. ALVAREZ-COHEN: Glyoxylate metabolism is a key feature of the metabolic degradation of 1,4-dioxane by Pseudonocardia dioxanivorans strain CB1190. Appl. Environ. Microbiol., 78(9), pp.3298-3308, 2012.
【非特許文献７】N. V. COLEMAN, N. B. BUI, and A. J. HOLMES: Soluble di-iron monooxygenase gene diversity in soils, sediments and ethane enrichments. Environ. Microbiol., 8(7), pp.1228-1239, 2006.
【非特許文献８】S. MAHENDRA, and L. ALVAREZ-COHEN: Kinetics of 1,4-dioxane biodegradation by monooxygenase-expressing bacteria. Environ. Sci. Technol., 40(17), pp.5435-5442, 2006.
【発明の概要】
【発明が解決しようとする課題】
【００１５】
１，４−ジオキサン分解菌による環状エーテルの分解活性を向上する方法を提供することを課題とする。
【課題を解決するための手段】
【００１６】
１．環状エーテルを含む汚染水を、Ｍｎ２＋濃度が０．０００１ｍｇ／Ｌ（０．０００１ｐｐｍ）以上１００ｍｇ／Ｌ（１００ｐｐｍ）以下の条件下において、１，４−ジオキサン分解菌で生分解処理することを特徴とする環状エーテルの生分解処理方法。
２．前記１，４−ジオキサン分解菌が、シュードノカルディア属（Pseudonocardia sp.）であることを特徴とする１．に記載の生分解処理方法。
３．前記１，４−ジオキサン分解菌が、Ｎ２３株（受託番号：ＮＩＴＥ  ＢＰ−０２０３２）、シュードノカルディア属（Pseudonocardia sp.）Ｄ１７株（受託番号：ＮＩＴＥ  ＢＰ−０１９２７）のいずれかであることを特徴とする１．または２．に記載の生分解処理方法。
４．前記環状エーテルが、１，４−ジオキサン、１，３−ジオキソラン、２−メチル−１，３−ジオキソラン、テトラヒドロフランのいずれか１種以上を含むことを特徴とする１．〜３．のいずれかに記載の生分解処理方法。
【発明の効果】
【００１７】
環状エーテルを含む汚染水のＭｎ２＋濃度を０．０００１ｍｇ／Ｌ（０．０００１ｐｐｍ）以上１００ｍｇ／Ｌ（１００ｐｐｍ）以下とするだけで、１，４−ジオキサン分解菌による環状エーテルの分解活性を向上することができ、環状エーテルの生分解処理を効率的に行うことができる。
【図面の簡単な説明】
【００１８】
【図１】標準活性汚泥法における汚染水処理フロー図。
【図２】実験１における微量金属とＮ２３株によるジオキサン分解活性との経時での関係を示す図。
【図３】実験１における微量金属とＤ１７株によるジオキサン分解活性との経時での関係を示す図。
【図４】実験１における微量金属とジオキサン分解活性との経時での関係を示す図。
【図５】実験２におけるＤ１７株によるジオキサン分解活性とＭｎ２＋濃度との経時での関係を示す図。
【発明を実施するための形態】
【００１９】
本発明は、１，４−ジオキサン分解菌による環状エーテルの分解活性を向上する方法に関する。
１，４−ジオキサン分解菌の環状エーテル分解酵素の構造は未だ決定されていないが、本発明者らは、鋭意研究の結果、Ｍｎ２＋イオンを添加することにより、１，４−ジオキサン分解菌の環状エーテル分解活性が有意に向上することを見出した。すなわち、１，４−ジオキサン分解菌の環状エーテル分解酵素において、Ｍｎ２＋イオンが何らかの形で補因子として作用し、環状エーテル分解酵素の触媒活性に作用していることが強く示唆される。
【００２０】
Ｍｎ２＋イオンの濃度は、１，４−ジオキサン分解菌による環状エーテルの分解活性を向上させることのできるものであれば特に制限されないが、０．０００１ｍｇ／Ｌ（０．０００１ｐｐｍ）以上１００ｍｇ／Ｌ（１００ｐｐｍ）以下の範囲である。環状エーテル分解酵素におけるＭｎ２＋イオンの役割は不明であるが、１，４−ジオキサン分解菌による環状エーテルの分解活性は、低濃度のＭｎ２＋イオンにより有意に向上し、また、高濃度のＭｎ２＋イオンにより阻害されない。
【００２１】
本発明で使用する１，４−ジオキサン分解菌としては特に制限されず、マイコバクテリウム属（Mycobacterium sp.）、シュードノカルディア属（Pseudonocardia sp.）、アフピア属（Afipia sp.）、ロドコッカス属（Rhodococcus sp.）、フラボバクテリウム属（Flavobacterium sp.）、メチロサイナス属（Methylosinus sp.）、バークホルデリア属（Burkholderia sp.）、ラルストニア属（Ralstonia sp.）、コルディセプス属（Cordyceps sp.）、キサントバクター属（Xanthobacter sp.）、アシネトバクター属（Acinetobacter sp.）、等に属するものを用いることができる。
【００２２】
分解菌には、１，４−ジオキサンを単一炭素源として分解及び資化可能な菌と、テトラヒドロフランなどの他の成分の存在下で共代謝反応によって１，４−ジオキサンの分解を行う菌との２種に大別される。本発明で使用する分解菌としては特に制限されないが、構成型１，４−ジオキサン分解菌であるＮ２３株（以下、Ｎ２３株という。）、Pseudonocardia sp. D17、Mycobacterium sp. D11、Mycobacterium sp.D6、Pseudonocardia dioxanivorans CB1190、Afipia sp. D1、Mycobacterium sp. PH-06、Pseudonocardia benzenivoransB5、Flavobacterium sp.、Pseudonocardia sp. ENV478、Pseudonocardia tetrahydrofuranoxydans K1、Rhodococcus ruber T1、Rhodococcus ruber T5、Methylosinus trichosporium OB3b、Mycobacterium vaccae JOB5、Burkholderia cepacia G4、Pseudomonas mendocina KR1、Pseudonocardia tetrahydrofuranoxydans K1、Ralstonia pickettii PKO1、Rhodococcus sp. RR1、Acinetobacter Baumannii DD1、Rhodococcus sp. 219、Pseudonocardia antarctica DVS 5a1、Cordyceps sinesis A、Rhodococcus aetherivorans JCM14343などが好ましい。これらの中で、１，４−ジオキサンの分解能が高いＮ２３株、Pseudonocardia sp. D17、Mycobacterium sp. D11及びPseudonocardia dioxanivorans CB1190が特に好ましい。
【００２３】
Ｎ２３株は、受託番号ＮＩＴＥ  ＢＰ−０２０３２として、独立行政法人  製品評価技術基盤機構  特許微生物寄託センター（ＮＰＭＤ）（日本国千葉県木更津市かずさ鎌足２−５−８（郵便番号２９２−０８１８））に、２０１５年４月１０日付で国際寄託されている。Ｎ２３株は、グラム染色性が陽性、カタラーゼ反応が陽性である。また、上記Pseudonocardia tetrahydrofuranoxydans K1と近縁であり、Pseudonocardia属である。
【００２４】
Pseudonocardia sp. D17（以下、Ｄ１７株という）は、受託番号受託番号ＮＩＴＥ  ＢＰ−０１９２７として、独立行政法人  製品評価技術基盤機構  特許微生物寄託センター（ＮＰＭＤ）（日本国千葉県木更津市かずさ鎌足２−５−８（郵便番号２９２−０８１８））に、２０１４年８月２９日付で国際寄託されている。
【００２５】
Ｎ２３株、Ｄ１７株は、１，４−ジオキサンだけでなく、１，３−ジオキソラン、２−メチル−１，３−ジオキソラン、テトラヒドロフラン等の環状エーテルを効率よく分解することができる。また、複数の環状エーテルを同時に処理することもできる。そのため、Ｎ２３株は、１，４−ジオキサン、１，３−ジオキソラン、２−メチル−１，３−ジオキソラン、テトラヒドロフラン等の環状エーテルの処理に好適に利用することができる。
【００２６】
Ｎ２３株、Ｄ１７株は、構成型１，４−ジオキサン分解菌であり１，４−ジオキサン等を用いて馴養する必要がなく、高い１，４−ジオキサン最大比分解速度を有し、環状エーテルの生分解処理に好適に利用することができる。
【００２７】
１，４−ジオキサン分解菌は、好気性菌であるため、その活動には酸素が必要である。そのため、１，４−ジオキサン分解菌を、環状エーテルを含む汚染水に注入し、好気的環境下とすることで、分解菌による環状エーテルの生分解処理を行うことができる。
【００２８】
図１に、曝気槽を用いる標準活性汚泥法における汚染水処理フローの例を示す。標準活性汚泥法では、曝気槽において有用微生物による生物処理を行っている。曝気槽には、散気管が配設されており、散気管から気泡が曝気槽内の水に供給され、この気泡から水中に酸素が溶解し、有用微生物による代謝・資化により、有機物が処理される。
【００２９】
曝気槽は好気的環境下であるため、曝気槽に１，４−ジオキサン分解菌を注入するだけで、汚染水中に含まれる環状エーテルを処理することができる。環状エーテル処理の方法は特に制限されず、例えば、１）汚染水の１，４−ジオキサン分解菌による生分解処理工程、２）１，４−ジオキサン分解菌を含む活性汚泥を沈殿させ、処理後の上澄みを排水する排水工程、３）新たな汚染水を投入する汚染水投入工程を、１）→２）→３）→１）→・・・と、この順で繰り返すいわゆるフェッドバッチプロセス、曝気槽の上流からの汚染水の投入と下流からの処理水の排水とを同量で連続的に行う連続プロセス等により行うことができる。曝気槽での初期環状エーテル濃度が高く、環状エーテル処理速度が早いため、フェッドバッチプロセスが好ましい。また、培養液ではなく、培養液からろ別等した分解菌をそのまま、凍結保存した菌体、Ｌ−乾燥保存した菌体、凍結乾燥した菌体、分解菌を樹脂等に固定化した固定化担体、または、培養液を濃縮した懸濁液等として注入することもできる。
【実施例】
【００３０】
「実験１」微量金属による影響のスクリーニング調査
１，４−ジオキサン分解菌として、Ｎ２３株、Ｄ１７株を使用した。
１，４−ジオキサン５００ｍｇ／Ｌを含む無機塩寒天培地（１ｇ／Ｌ  Ｋ２ＨＰＯ４、１ｇ／Ｌ  （ＮＨ４）２ＳＯ４、５０ｍｇ／Ｌ  ＮａＣｌ、２００ｍｇ／Ｌ  ＭｇＳＯ４・７Ｈ２Ｏ、１０ｍｇ／Ｌ  ＦｅＣｌ３、５０ｍｇ／Ｌ  ＣａＣｌ２）で生育した各菌株を、それぞれ３００ｍＬ容のバッフル付三角フラスコ中のＭＧＹ培地１００ｍＬに一白金耳植菌し、２８°Ｃ、１２０ｒｐｍの条件下で回転振盪培養（ＢＲ−３０００ＬＦ、タイテック株式会社）し、十分量まで培養した（前培養）。
【００３１】
前培養した菌体を、遠心分離（８５００×ｇ、４°Ｃ、５分）によって回収し、Ｆｅ３＋を含まない無機塩培地（１ｇ／Ｌ  Ｋ２ＨＰＯ４、１ｇ／Ｌ  （ＮＨ４）２ＳＯ４、５０ｍｇ／Ｌ  ＮａＣｌ、２００ｍｇ／Ｌ  ＭｇＳＯ４・７Ｈ２Ｏ、５０ｍｇ／Ｌ  ＣａＣｌ２）で２回洗浄して、分解試験に用いた。
１，４−ジオキサンを１００ｍｇ−Ｃ／Ｌ、下記表１に記載の各金属化合物をそれぞれ２ｍｇ−金属／Ｌになるように添加したＦｅ３＋を含まない無機塩培地２０ｍＬを５０ｍＬ容バイアル瓶中に分注し、ここに菌体量が５０ｍｇ−ＴＳＳ／Ｌになるように植種した。このバイアル瓶を、低温恒温チャンバー（ＦＭＣ−１０００、東京理化器械株式会社）内に設置したマルチシェーカー（ＭＭＳ−１１０、東京理化器械株式会社）を用いて、２８℃、１２０ｒｐｍの条件下で回転振盪培養を行い、分解試験を行った。試験期間は３日間（７２時間）とした。また、１，４−ジオキサン１００ｍｇ−Ｃ／Ｌ、各金属を２ｍｇ−金属／Ｌになるように添加したＦｅ３＋を含まない無機塩培地の無菌系での試験も同時に行った。
【００３２】
【表１】
2018094455.tif 000004
【００３３】
培養液の一部を０、１、２、３日後に採取し、１，４−ジオキサンの残存濃度をＧＣ−ＦＩＤ（ＧＣ−２０１４、株式会社島津製作所）で測定した。なお、各条件下における分解試験は３連で行った。
Ｎ２３株、Ｄ１７株、無菌系における、金属と１，４−ジオキサン残存率との経時での関係をそれぞれ図２〜４に示す。なお、図２〜４において、ＢＳＭ−Ｆｅが、金属を添加していないＦｅ３＋を含まない無機塩培地、Ｃｏｎｔｒｏｌが無菌系である。
【００３４】
Ｎ２３株は、Ｍｎ２＋の存在下で１，４−ジオキサン分解活性が大きく向上することが確かめられた。また、Ｎ２３株は、様々な金属で１，４−ジオキサン分解活性が向上したが、Ｃｕ２＋の存在下では１，４−ジオキサン分解活性が阻害された。
Ｄ１７株は、Ｍｎ２＋の存在下で１，４−ジオキサン分解活性が大きく向上することが確かめられた。また、Ｄ１７株は、様々な金属で１，４−ジオキサン分解活性がやや阻害され、特にＣｕ２＋の存在下では１，４−ジオキサン分解活性が大きく阻害された。
無菌系は、金属の種類に関わらず、１，４−ジオキサン濃度はほぼ一定であり、金属イオンそのものが１，４−ジオキサンの分解には影響を及ぼさないことが確認できた。
【００３５】
「実験２」Ｍｎの濃度依存性の検討
１，４−ジオキサン分解菌として、Ｄ１７株を使用した。
上記実験１に準じて、前培養と菌体洗浄を行った。
１，４−ジオキサンを１００ｍｇ−Ｃ／Ｌ、Ｍｎ２＋を所定の濃度で添加したＦｅ３＋を含まない無機塩培地２０ｍＬを５０ｍＬ容のバイアル瓶に分注し、ここに菌体量が５０ｍｇ−ＴＳＳ／Ｌになるように植種した。このバイアル瓶を、低温恒温チャンバー（ＦＭＣ−１０００、東京理化器械株式会社）内に設置したマルチシェーカー（ＭＭＳ−１１０、東京理化器械株式会社）を用いて、２８℃、１２０ｒｐｍの条件下で回転振盪培養を行い、分解試験を行った。試験期間は３日間（７２時間）とした。
【００３６】
培養液の一部を０、１、２、３日後に採取し、１，４−ジオキサンの残存濃度をＧＣ−ＦＩＤで測定した。なお、各条件下における分解試験は３連で行った。
Ｍｎ２＋濃度と１，４−ジオキサン残存率との経時での関係を図５に示す。
【００３７】
Ｄ１７株は、Ｍｎ２＋濃度が０．００１ｍｇ／Ｌ以上５０ｍｇ／Ｌ以下という広い範囲で分解活性が向上することが確認できた。
【図１】
2018094455.tif 000005
【図２】
2018094455.tif 000006
【図３】
2018094455.tif 000007
【図４】
2018094455.tif 000008
【図５】
2018094455.tif 000009